(57)【要約】【課題】多種多様な帳票を自動的に判別し、さらに人が帳票の判別を容易に行えるよう、人に分かりやすい識別番号を付す帳票処理システムを提供する。【解決手段】帳票処理システム１は、前記帳票を画像データとして取り込むイメージスキャナ２と、帳票に印字するプリンタ３と、帳票を識別する帳票識別部５と、帳票を識別するための識別情報を記憶する帳票識別情報データベース６と、プリンタ３を制御する識別番号印刷制御部７とを備え、帳票識別部５は、前記帳票の前記画像データと前記識別情報とが一致するかどうか判定し、帳票識別部５によって、前記画像データと前記識別情報とが一致すると判定された場合、識別番号印刷制御部７は、当該帳票に識別番号と識別番号を印字する位置をプリンタ３に送信し、プリンタ３は、指定された位置に識別番号を印字する。【選択図】　　　図１
2004145383.tif 000002
【特許請求の範囲】
【請求項１】
個々の帳票が有する形態上の特徴を利用して前記帳票を識別する帳票処理システムであって、
前記帳票を識別するための識別情報を記憶する帳票識別情報データベースと、
前記帳票を画像データとして取り込む画像取込手段と、
前記画像取込手段によって取り込まれる前記帳票の前記画像データと前記識別情報とが一致するかどうか判定することによって当該帳票を識別する識別手段と、
前記識別手段によって、前記画像データと前記識別情報とが一致すると判定された場合、当該帳票に識別番号と通し番号を印字する印字手段と、
を備え、
前記識別手段によって、前記帳票が前記画像データと前記識別情報とが一致しないと判定された場合、前記印字手段は、当該帳票に前記通し番号を印字し、
当該帳票に印字された前記通し番号が、当該帳票の前記識別情報に関連付けられて前記帳票識別情報データベースに登録された後、
前記画像取込手段によって取り込まれた前記画像データに、当該帳票に印字された前記通し番号が含まれていた場合、
前記識別手段は、前記帳票識別情報データベースに前記識別情報と関連付けられて登録された前記通し番号を参照して、当該帳票を識別し、
前記印字手段は、前記識別番号を印字することを特徴とする帳票処理システム。
【請求項２】
前記印字手段は、前記識別手段が前記通し番号を参照して当該帳票を識別した場合、前記画像データと前記識別情報とを利用して判定した場合とは違う位置に前記識別番号を印字することを特徴とする請求項１に記載の帳票処理システム。
【発明の詳細な説明】
【０００１】
【発明の属する技術分野】
本発明は、多種多様な帳票を自動的に判別し、さらに人が帳票の判別を容易に行えるよう、人に分かりやすい識別番号を付す帳票処理システムに関する。
【０００２】
【従来の技術】
現在、全国の自治体で取り扱っている帳票の種類は、各自治体における業務の手続き上、各々独自のサイズと書式を持った多種多様な様式となっている。
【０００３】
全国の自治体数は現在約３３００あるが、仮に各自治体において２０種類の帳票を取り扱っているとすると、帳票は全国で約６６０００種類もあることになる。その帳票を処理しなければならない金融機関は、帳票を仕分けるだけでも多大な時間と労力を要している。
【０００４】
このような状況の中で、多種多様な帳票を機械で統一的に処理するために、帳票にバーコード等の識別子を付しておき、その識別子を読み取ることによって帳票を識別し、仕分け等の処理を自動的に行うシステムがある（例えば、特許文献１）。
【０００５】
【特許文献１】
特開２００２−１９７４０４号公報
【０００６】
【発明が解決しようとする課題】
しかしながら、従来のシステムでは、自動的に判別されなかった帳票は、やはり人が帳票を見分けて仕分け等の処理を行わなければならない。予め、分かりやすい目印等を付しておくことが可能であれば、何ら問題は無いが、自治体業務の手続き上、帳票は独自の様式を持つため、統一形式の目印や識別情報を付すために数万種類の帳票の様式を変更させることは、現実的には不可能である。
【０００７】
また、実際の業務においては、全ての処理を機械が行うわけにもいかず、人が行わなければならない作業も存在する。そのため、人に分かりやすい目印等を付しておくことが望まれていた。
【０００８】
本発明は上記事情に鑑み、一度識別不可能とされた帳票に対して、再識別処理を行うための情報を付し、多種多様な帳票を可能な限り自動的に判別し、さらに人が帳票の判別を容易に行えるよう、人に分かりやすい識別番号を付す帳票処理システムを提供することを目的とする。
【０００９】
【課題を解決するための手段】
上記目的を達成するために、請求項１に記載の発明である帳票処理システムは、個々の帳票が有する形態上の特徴を利用して前記帳票を識別する帳票処理システムであって、前記帳票を識別するための識別情報を記憶する帳票識別情報データベースと、前記帳票を画像データとして取り込む画像取込手段と、前記画像取込手段によって取り込まれる前記帳票の前記画像データと前記識別情報とが一致するかどうか判定することによって当該帳票を識別する識別手段と、前記識別手段によって、前記画像データと前記識別情報とが一致すると判定された場合、当該帳票に識別番号と通し番号を印字する印字手段とを備え、前記識別手段によって、前記帳票が前記画像データと前記識別情報とが一致しないと判定された場合、前記印字手段は、当該帳票に前記通し番号を印字し、当該帳票に印字された前記通し番号が、当該帳票の前記識別情報に関連付けられて前記帳票識別情報データベースに登録された後、前記画像取込手段によって取り込まれた前記画像データに、当該帳票に印字された前記通し番号が含まれていた場合、前記識別手段は、前記帳票識別情報データベースに前記識別情報と関連付けられて登録された前記通し番号を参照して、当該帳票を識別し、前記印字手段は、前記識別番号を印字することを特徴とする。
【００１０】
請求項１の発明によれば、帳票の画像データと識別情報とが一致するかどうか判定することによって帳票を識別するので、多種多様な帳票を自動的に判別することができる。また、帳票に識別番号が付されるため、人が作業を行わなければならない際には、その識別番号を見ることによって帳票を容易に判別することができる。
【００１１】
また、識別されなかった帳票の識別情報を通し番号とともに登録し、再度、その識別されなかった帳票を識別する際には、その通し番号を基に帳票を識別するので、多種多様な帳票を自動的に判別することができる。また、帳票に識別番号が付されるため、人が作業を行わなければならない際には、その識別番号を見ることによって帳票を容易に判別することができる。
【００１２】
また、請求項２に記載の発明である帳票処理システムは、請求項１に記載の帳票処理システムであって、前記印字手段は、前記識別手段が前記通し番号を参照して当該帳票を識別した場合、前記画像データと前記識別情報とを利用して判定した場合とは違う位置に前記識別番号を印字することを特徴とする。
【００１３】
請求項２の発明によれば、識別手段が通し番号を参照して当該帳票を識別した場合、識別番号が違う位置に位置に印字されるため、帳票に対して行われた識別処理の履歴を把握することができる。
【００１４】
【発明の実施の形態】
本発明の実施形態を、図１〜図７に基づいて説明する。
【００１５】
まず、帳票処理システム１の構成について図１に基づいて説明する。
【００１６】
本実施形態における帳票処理システム１は、イメージスキャナ２、プリンタ３、帳票仕分け部４、帳票識別部５、帳票識別情報データベース６、識別番号印刷制御部７、帳票識別情報登録部８から構成される。
【００１７】
イメージスキャナ２は、帳票を走査することによってその帳票の画像データを取得し、帳票識別部５に転送する機能を有する。また、プリンタ３は、識別番号印刷制御部７の指示に基づいて、帳票裏面の所定の位置に通し番号と識別番号とを印字する機能を有する。なお、印字方式については、特に限定しない。
【００１８】
帳票仕分け部４は、帳票識別部５からの指示に基づいて、識別された帳票を指定されたポケット９に入るよう仕分ける装置を制御する機能を有する。
【００１９】
帳票識別部５は、帳票識別情報データベース６に記録されている帳票識別情報を基に、イメージスキャナ２で読み込まれた帳票を識別する機能を有する。
【００２０】
帳票識別情報データベース６は、帳票を識別するための帳票識別情報を記録している。
【００２１】
識別番号印刷制御部７は、帳票識別部５の識別処理の結果に基づいて、帳票に印刷する通し番号および識別番号を決定し、プリンタ３に対して、所定の位置にその通し番号と識別番号とを印刷するよう指示する機能を有する。
【００２２】
帳票識別情報登録部８は、帳票識別部５によって判別できなかった帳票を識別するための入力された帳票識別情報を帳票識別情報データベース６に登録する機能を有する。
【００２３】
＜帳票識別処理＞
次に、帳票処理システム１における帳票識別処理の処理手順について、図２のフローチャートと、図４〜５の帳票例とを用いて説明する。
【００２４】
まず、イメージスキャナ２によって帳票の画像データが取得される（ステップＳ０１）。帳票識別部５は、帳票識別情報データベース６から帳票識別情報を読み込み（ステップＳ０２）、イメージスキャナ２によって取り込まれた画像データと帳票識別情報データベース６から読み込んだ帳票識別情報の照合を行う（ステップＳ０３）。
【００２５】
次に、帳票識別部５は、帳票識別情報データベース６に記録されている最後のレコードまで照合を行ったかどうか判定する（ステップＳ０４）。最後のレコードまで照合を行っていなければ、帳票識別部５は、帳票識別情報データベース６から次のレコードを読み込み（ステップＳ０２）、再度ステップＳ０３の照合処理を繰り返す。
【００２６】
帳票識別情報データベース６に記録されている最後のレコードまで照合を行った場合、ステップＳ０３の照合処理で帳票識別情報と一致した件数が、１件であったかどうか判定する（ステップＳ０５）。
【００２７】
判定の結果、一致した件数が１件だけだった場合、帳票識別部５は、識別番号印刷制御部７に対して、通し番号と識別番号とを印刷するよう指示を出す。識別番号印刷制御部７はその指示に基づいて、通し番号と識別番号と、それらの印字位置をプリンタ３に送信し、プリンタ３はまず指定された位置に通し番号を印字し（ステップＳ０６）、次に、識別番号を指定された位置に印字する（ステップＳ０７）。また、帳票識別部５は、その特定された帳票の種類に応じて指定されたポケット９に入るよう、帳票仕分け部４に指示を出す（ステップＳ０８）。
【００２８】
例えば、図４に示す帳票の画像データがイメージスキャナ２によって取り込まれ、識別処理によってその帳票が特定されたとすると、図５に示すように、帳票の裏面に番号が２種類、通し番号と識別番号とが横並びに印刷される。ここで印刷される通し番号は、帳票の種類に係らず付されるものであり、識別番号は帳票の種類によって付されるものである。
【００２９】
また、一致した件数が０件、または複数件数一致した場合、帳票識別部５は、識別番号印刷制御部７に対して、通し番号を印刷するよう指示を出す。識別番号印刷制御部７はその指示に基づいて、通し番号とその印字位置をプリンタ３に送信し、プリンタ３はまず指定された位置に通し番号を印字する（ステップＳ０９）。また、帳票識別部５は、その帳票が未区分のポケット９に入るよう、帳票仕分け部４に指示を出す（ステップＳ１０）。
【００３０】
そして、後にその特定されなかった帳票が帳票処理システム１にかけられ、帳票識別情報登録部８によって帳票識別情報が帳票識別情報データベース６に登録される（ステップＳ１１）。この時、その帳票に印字されている通し番号が新たに登録される帳票識別情報に関連付けられて登録される。
【００３１】
＜再識別処理＞
次に、帳票処理システム１における再識別処理の処理手順について、図３のフローチャートと、図６〜７の帳票例とを用いて説明する。
【００３２】
まず、イメージスキャナ２によって帳票裏面の画像情報が取得されると（ステップＳ２１）、帳票識別部５は、イメージスキャナ２によって取り込まれた画像データから印字されている通し番号を取得する（ステップＳ２２）。
【００３３】
次に、帳票識別部５は、ステップＳ２２で取得した通し番号を基に、帳票識別情報データベース６から帳票識別情報を読み込む（ステップＳ２３）。帳票識別情報には通し番号が関連付けられているので、その関連付けられている通し番号を参照して帳票情報を読み込む。
【００３４】
次に、帳票識別部５は、ステップＳ２２で取得した通し番号に一致する帳票識別情報が帳票識別情報データベース６に登録されていたか判定し（ステップＳ２４）、該当する帳票識別情報があった場合、帳票識別部５は、識別番号印刷制御部７に対して、その帳票を識別する識別番号を印刷するよう指示を出し、識別番号印刷制御部７はその指示に基づいて、識別番号と、その印字位置をプリンタ３に送信し、プリンタ３は指定された位置に識別番号を印字する（ステップＳ２５）。また、帳票識別部５は、その特定された帳票の種類に応じて指定されたポケット９に入るよう、帳票仕分け部４に指示を出す（ステップＳ２６）。
【００３５】
また、該当する帳票識別情報がなかった場合、その帳票を識別することは不可能であるので、帳票識別部５は、その帳票を帳票処理システムからリジェクトし（ステップＳ２７）、再識別処理を終了する。
【００３６】
例えば、図６に示す帳票が帳票識別処理で識別不能となり、帳票識別情報が登録された後、再識別処理が行われ、その帳票が特定されたとすると、図７に示すように、帳票の裏側に識別番号が、通し番号に対して縦並びに印刷される。
【００３７】
このように、帳票を識別することによって、仕分け作業等を自動的に行うことができる。また帳票に識別番号が印字されるため、人が作業を行う際にも、帳票を判別しやすくなる。また、一度識別されなかった帳票も、いったん通し番号を印字しておき、後に帳票識別情報を登録する際にその通し番号を関連付けて登録することによって識別され、自動的に仕分け作業等が行われるので、人の作業を削減することができる。
【００３８】
また、判定の結果に基づいて識別番号の印字位置を変えるので、識別されたものと識別されなかったものを簡単に区別することができ、仕分け等の作業を補助することができる。
【００３９】
【発明の効果】
以上説明したように、本発明によれば、帳票の画像データと識別情報とが一致するかどうか判定することによって帳票を識別するので、多種多様な帳票を自動的に判別することができる。また、帳票に識別番号が付されるため、人が作業を行わなければならない際には、その識別番号を見ることによって帳票を容易に判別することができる。
【００４０】
また、識別されなかった帳票の識別情報を通し番号とともに登録し、再度、その識別されなかった帳票を識別する際には、その通し番号を基に帳票を識別するので、多種多様な帳票を自動的に判別することができる。また、帳票に識別番号が付されるため、人が作業を行わなければならない際には、その識別番号を見ることによって帳票を容易に判別することができる。さらに違う位置に位置に印字されるため、帳票に対して行われた識別処理の履歴を把握することができる。
【図面の簡単な説明】
【図１】帳票処理システムの機能ブロック図である。
【図２】帳票識別処理の処理手順を示すフローチャートである。
【図３】再識別処理の処理手順を示すフローチャートである。
【図４】帳票のサンプル図（裏面）である。
【図５】帳票のサンプル図（表面）である。
【図６】帳票のサンプル図（裏面）である。
【図７】帳票のサンプル図（裏面）である。
【符号の説明】
１　帳票処理システム
２　イメージスキャナ
３　プリンタ
４　帳票仕分け部
５　帳票識別部
６　帳票識別情報データベース
７　識別番号印刷制御部
８　帳票識別情報登録部
９　ポケット
【図１】
2004145383.tif 000003
【図２】
2004145383.tif 000004
【図３】
2004145383.tif 000005
【図４】
2004145383.tif 000006
【図５】
2004145383.tif 000007
【図６】
2004145383.tif 000008
【図７】
2004145383.tif 000009